(57)【要約】【課題】容易に製造することができる情報布帛及び熱転写による情報布帛の製造方法を提供する。【解決手段】情報布帛としての竹刀袋１１は、布帛としての織物により形成された袋体１２の外面に、視覚情報としての文字１３が熱転写されて形成されている。文字１３は、熱転写シートをカッティングプロッタにより、アウトラインカットしてシート本体に視覚情報形成部を形成した後、その視覚情報形成部を袋体１２の外面に接触させた状態で、加温、加圧することにより同袋体１２の外面に熱転写されている。【選択図】      図１
2005048317.tif 000002
【特許請求の範囲】
【請求項１】
剥離シート上に、インク層と、ホットメルト接着剤層とよりなるシート本体を積層した熱転写シートにおいて、前記シート本体をカッティングプロッタを使用して、文字、数字、記号、デザイン等の視覚情報のアウトラインに沿ってアウトラインカットすることにより形成された視覚情報形成部が、前記ホットメルト接着剤層によって布帛に熱融着されることにより、前記インク層が布帛に転写されて前記視覚情報が布帛に形成されていることを特徴とする情報布帛。
【請求項２】
剥離シート上に、インク層と、ホットメルト接着剤層とよりなるシート本体を積層した熱転写シートの前記シート本体を、カッティングプロッタを使用して、文字、数字、記号、デザイン等の視覚情報のアウトラインに沿ってアウトラインカットして視覚情報形成部を形成するカッティング工程と、前記ホットメルト接着剤層が、布帛に接触するように熱転写シートと布帛を重ね合わせ、同熱転写シートを加圧及び加温してホットメルト接着剤層を布帛に熱融着させるとともに、前記インク層を布帛に転写する熱転写工程と、前記剥離シートをシート本体から剥離して前記視覚情報を布帛に形成する剥離工程とより構成されていることを特徴とする熱転写による情報布帛の製造方法。
【請求項３】
前記布帛として、各種スポーツ競技用衣服、各種スポーツ競技の道具入れ袋、各種スポーツ競技用布製品又は各種スポーツ競技用衣服のゼッケンを形成するものを使用することを特徴とする請求項２に記載の熱転写による情報布帛の製造方法。
【発明の詳細な説明】
【技術分野】
【０００１】
本発明は、例えば、竹刀袋のように、布帛としての織物製の袋体に、言葉や、名前等の文字が熱転写されて、袋体に視覚情報が形成された情報布帛及び熱転写による情報布帛の製造方法に関する。
【背景技術】
【０００２】
従来より、織物といった布帛としてのサポータ、スポーツ競技用衣服、道具入れ袋等には、その所有者の名前、言葉等の文字やデザイン等の視覚情報が、刺繍によって形成されている（例えば、特許文献１参照。）。前記刺繍による視覚情報は、例えばスポーツ競技用衣服の表裏に、自動刺繍ミシンを使用して刺繍糸を刺通して形成されている。
【特許文献１】特開平９−５９８６５号公報
【発明の開示】
【発明が解決しようとする課題】
【０００３】
ところが、上記従来の技術において、視覚情報を刺繍によって布帛に形成するには、自動刺繍ミシンを扱い、刺繍糸を用いて布帛の一枚一枚に刺繍作業を行う必要があり、非常に手間が掛かるという問題があった。
【０００４】
本発明は、上記従来の技術に存在する問題点に着目してなされたものである。その目的とするところは、容易に製造することができる情報布帛及び熱転写による情報布帛の製造方法を提供することにある。
【課題を解決するための手段】
【０００５】
上記問題点を解決するために、請求項１に記載の発明は、剥離シート上に、インク層と、ホットメルト接着剤層とよりなるシート本体を積層した熱転写シートにおいて、前記シート本体をカッティングプロッタを使用して、文字、数字、記号、デザイン等の視覚情報のアウトラインに沿ってアウトラインカットすることにより形成された視覚情報形成部が、前記ホットメルト接着剤層によって布帛に熱融着されることにより、前記インク層が布帛に転写されて前記視覚情報が布帛に形成されていることを要旨とする。
【０００６】
請求項２に記載の発明は、剥離シート上に、インク層と、ホットメルト接着剤層とよりなるシート本体を積層した熱転写シートの前記シート本体を、カッティングプロッタを使用して、文字、数字、記号、デザイン等の視覚情報のアウトラインに沿ってアウトラインカットして視覚情報形成部を形成するカッティング工程と、前記ホットメルト接着剤層が、布帛に接触するように熱転写シートと布帛を重ね合わせ、同熱転写シートを加圧及び加温してホットメルト接着剤層を布帛に熱融着させるとともに、前記インク層を布帛に転写する熱転写工程と、前記剥離シートをシート本体から剥離して前記視覚情報を布帛に形成する剥離工程とより構成されていることを要旨とする。
【０００７】
請求項３に記載の発明は、請求項２に記載の熱転写による情報布帛の製造方法において、前記布帛として、各種スポーツ競技用衣服、各種スポーツ競技の道具入れ袋、各種スポーツ競技用布製品又は各種スポーツ競技用衣服のゼッケンを形成するものを使用することを要旨とする。
【発明の効果】
【０００８】
本発明によれば、容易に製造することができる情報布帛及び熱転写による情報布帛の製造方法を提供することができる。
【発明を実施するための最良の形態】
【０００９】
以下、本発明を具体化した情報布帛及び熱転写による情報布帛の製造方法の一実施形態を図１〜図４にしたがって説明する。
本発明における情報布帛とは、文字、数字、記号、デザイン等の視覚情報が形成された布帛である。前記視覚情報とは、人の視覚に訴える情報であり、例えば、トレードマーク、サービスマーク、屋号、キャラクター、ワンポイントマーク、ブランドマーク、画像等を表示するために具現化された文字、数字、記号、デザイン等を指す。さらに、前記布帛としては織物、編物又は不織布が挙げられ、これら織物、編物又は不織布は生地の状態のものであってもよく、二次加工されて衣料類、寝具類、小物類等の各種繊維製品に加工されたものであってもよい。前記織物、編物又は不織布の原料としては、木綿、羊毛、絹、麻、木材パルプ等の天然繊維、レーヨン、キュプラ等のセルロース繊維、ポリビニルアルコール繊維、セルロースアセテート繊維、高吸水繊維等、ポリエステル、ナイロン、アクリル等の各種繊維が挙げられる。そして、情報布帛は、織物、編物又は不織布の生地そのものに視覚情報が形成されたものであってもよく、織物、編物又は不織布が二次加工されたものに視覚情報が形成されたものであってもよい。
【００１０】
図１に示すように、本形態における情報布帛としての竹刀袋１１は、各種スポーツ競技の道具入れ袋であって、剣道の竹刀を入れるための袋である。そして、竹刀袋１１は布帛として、木綿糸の織物である袋体１２に、視覚情報としての文字１３（竹刀袋）が熱転写されて形成されている。前記文字１３は、図２に示す熱転写シート１４を使用して袋体１２に形成されている。熱転写シート１４は、剥離シート１４ａ上に、その剥離シート１４ａの上面に設けられたインク層１４ｂと、そのインク層１４ｂの上面に設けられたホットメルト接着剤層１４ｃとよりなるシート本体１５が設けられて形成されている。
【００１１】
前記剥離シート１４ａは、図示しない粘着層を介して、シート本体１５から剥離可能に貼着され、シート本体１５のインク層１４ｂ面を保護している。剥離シート１４ａは、ポリエステル、ポリプロピレン、ポリエチレン、アルキルベンゼンスルホン酸、ポリ塩化ビニル、金属、紙等からなる単層のフィルムや、それらの積層体より構成されている。前記インク層１４ｂは、各色の着色顔料等から構成されている。前記ホットメルト接着剤層１４ｃは、ポリアミド、ポリエステル、ポリ塩化ビニル等よりなる透明な層で、８０〜２５０℃前後の融点を有している。そして、ホットメルト接着剤層１４ｃは融点以上の温度に加圧及び加温されると、溶融して布帛に浸透して、インク層１４ｂを布帛に接合するようになっている。
【００１２】
次に、竹刀袋１１の製造方法について説明する。
竹刀袋１１の製造方法は、前記熱転写シート１４のシート本体１５に、文字１３に対応する視覚情報形成部１３ａを形成するカッティング工程と、シート本体１５に形成された視覚情報形成部１３ａを袋体１２に熱転写する熱転写工程と、剥離シート１４ａをシート本体１５から剥離する剥離工程とから構成されている。
【００１３】
まず、前記カッティング工程から説明する。このカッティング工程は、図示しないカッティングプロッタを用いて行われる。前記カッティングプロッタは、熱転写シート１４をシート走行路上に供給するシート供給機構と、シート走行路上において熱転写シート１４を正逆送りするシート送り機構とを備えている。また、カッティングプロッタは、シート送り機構と協働して文字１３のアウトラインをカットするカッティングプロッタ機構と、これら機構を統括制御するコントローラとを備えている。
【００１４】
そして、上記カッティングプロッタを用いたカッティング工程は、ユーザが前記コントローラから文字１３に対応する情報を入力し、カッティングプロッタを作動させる。すると、シート供給機構及びシート送り機構が駆動して、熱転写シート１４をシート走行路に導入するとともに、その熱転写シート１４が所定の寸法に切断される。続いて、シート送り機構及びカッティングプロッタ機構が駆動して、文字１３のアウトラインに沿ったアウトラインカットが行われる。
【００１５】
このとき、文字１３のアウトラインカットは、熱転写シート１４のシート本体１５のみをカットするハーフカットであり、熱転写シート１４に対しカッティングプロッタ機構のカッティングバイトをＸＹ方向に相対的に切断移動させることにより行われる。続いて、文字１３に対応する視覚情報形成部１３ａを残して不要なシート本体１５が剥離シート１４ａから手作業等により引き剥がされる。その結果、図３（ａ）に示すように、剥離シート１４ａの上面には、竹刀袋を示す視覚情報形成部１３ａのみが残存している。図３（ｂ）に示すように、視覚情報形成部１３ａは、剥離シート１４ａ上のインク層１４ｂと、そのインク層１４ｂ上のホットメルト接着剤層１４ｃとよりなるシート本体１５によって形成されている。
【００１６】
次に、前記熱転写工程について説明する。この熱転写工程は、前記カッティング工程によって熱転写シート１４に形成された視覚情報形成部１３ａを、袋体１２に熱転写する工程である。まず、図４（ａ）、（ｂ）に示すように、前記視覚情報形成部１３ａを形成するホットメルト接着剤層１４ｃが、袋体１２の外面に接触するように、袋体１２と熱転写シート１４とを重ね合わせる。即ち、袋体１２の上面にホットメルト接着剤層１４ｃが配置され、そのホットメルト接着剤層１４ｃの上にインク層１４ｂが配置されている。そして、そのインク層１４ｂの上に剥離シート１４ａが配置され、剥離シート１４ａが最も上となる。
【００１７】
次に、プレス機、アイロン等を用いて、剥離シート１４ａの上から１５０〜１８０℃の温度と圧力を、１〜１５秒程度加えると、ホットメルト接着剤層１４ｃが溶融し、袋体１２を形成する織物の目地内に浸透していく。このとき、袋体１２の縫製により、織物の端縁同士の結合部位に、視覚情報形成部１３ａが配置されていても、その結合部位にホットメルト接着剤層１４ｃが目地内に浸透していく。そして、自然冷却、強制冷却等により熱転写シート１４を冷却すると、ホットメルト接着剤が固化し、袋体１２の外面にインク層１４ｂが接着され、そのインク層１４ｂにより文字１３が袋体１２に熱転写される。
【００１８】
最後に、前記剥離工程について説明する。この剥離工程は、ホットメルト接着剤により、袋体１２の外面に接着された熱転写シート１４の剥離シート１４ａを、インク層１４ｂから剥離することにより行われる。そして、剥離シート１４ａがインク層１４ｂから剥離されると、図１に示すように、袋体１２の外面には、文字１３を表示するインク層１４ｂのみが視認可能となり、竹刀袋といった視覚情報が袋体１２に形成される。
【００１９】
上記実施形態の情報布帛及び熱転写による情報布帛の製造方法によれば、以下のような効果を得ることができる。
（１）カッティングプロッタにより、熱転写シート１４に視覚情報形成部１３ａを形成し、その視覚情報形成部１３ａを袋体１２に熱転写して竹刀袋１１を形成した。即ち、視覚情報形成部１３ａはカッティングプロッタの機械制御により形成することができ、視覚情報形成部１３ａの袋体１２への熱転写もプレス機等により容易に行うことができる。従って、自動刺繍ミシンを制御し、刺繍糸を用いて布帛の一枚一枚に刺繍作業を行って情報布帛を形成していた従来と異なり、竹刀袋１１を容易に製造することができるとともに、刺繍糸を使用する場合と比較して製造コストを抑えることができる。
【００２０】
（２）特に、袋体１２のように、織物を縫製して既に袋状に形成された布帛に文字１３を形成する場合、織物の端縁同士を縫製により結合した部位に対しても、熱転写により文字１３を形成することができる。従って、袋体１２の縫製により結合した部位に、刺繍により文字１３を形成するため、その縫製を解き、刺繍を行った後、再度縫製を行う必要があった従来と異なり、竹刀袋１１を容易に製造することができるとともに、製造期間の短縮を図ることができる。
【００２１】
（３）カッティングプロッタのコントローラに情報を入力するのみで、コントローラが各機構を制御して熱転写シート１４に視覚情報形成部１３ａを形成することができる。従って、文字１３を袋体１２に印刷するために、文字１３に対応する印刷版を製造しなければならない場合と異なり、竹刀袋１１の製造コストを抑えることができる。また、コントローラに入力される情報を変えるだけで、文字１３の種類を変更することができるため、竹刀袋１１をはじめ、同じ文字１３が形成された情報布帛の大量生産、また、文字１３が異なる情報布帛の多品種少量生産を製造コストをかけることなく可能とすることができる。特に、部活動やアマチュアスポーツを行う人々が、自分の行うスポーツ競技に用いられるユニフォーム、道具等の布帛に名前、番号等の視覚情報の形成を、スポーツ用品店に依頼した場合、そのスポーツ用品店では、各人それぞれに対応する個別の情報布帛を製造コストをかけることなく、短期間で製造することができる。
【００２２】
（４）竹刀袋１１をはじめ、情報布帛の注文を受けた後に、文字１３の情報をコントローラに入力してカッティングプロッタを稼働させて製造することが可能となる。従って、文字１３に対応する印刷版を製造したり、自動刺繍ミシンにプログラム等を入力する場合と異なり、情報布帛の納期を短縮することができる。従って、納期短縮のために在庫を大量に確保しておく必要もなくなる。
【００２３】
なお、上記実施形態は以下のように変更してもよい。
・  実施形態では、情報布帛として、各種スポーツ競技の道具入れ袋である竹刀袋１１に具体化したが、情報布帛を、布帛としてのユニフォーム、トレーニングウェア等の各種スポーツ競技用衣服に視覚情報を形成したものに具体化してもよい。また、情報布帛を布帛としての靴入れ、スパイク入れ、トレーニングシューズ入れ、ジョギングシューズ入れ、テニスシューズ入れ、ボール入れ、バット入れ、剣道の胴着入れ等の各種スポーツ競技の道具入れ袋に視覚情報を形成したものに具体化してもよい。加えて、情報布帛を布帛としてのサポータ、包帯、テーピングテープ、ソックス等の各種スポーツ競技用布製品に視覚情報を形成したものに具体化してもよい。さらに、情報布帛を、布帛としての各種スポーツ競技用衣服のゼッケンに、名前、番号等の視覚情報を形成したものに具体化してもよい。
【００２４】
・  実施形態では、熱転写シート１４の不要となる部分を手作業により引き剥がしたが、カッティングプロッタに、シート剥離機構を設け、そのシート剥離機構により熱転写シート１４の不要となる部分を引き剥がしてもよい。
【００２５】
次に、上記実施形態及び別例から把握できる技術的思想について、それらの効果とともに以下に追記する。
（１）前記布帛として、各種スポーツ競技用衣服、各種スポーツ競技の道具入れ袋、各種スポーツ競技用布製品又は各種スポーツ競技用衣服のゼッケンを形成するものに視覚情報が形成されていることを特徴とする請求項１に記載の情報布帛。
【００２６】
（２）前記各種スポーツ競技の道具入れ袋として剣道の竹刀を入れるための袋体を使用することを特徴とする請求項３に記載の熱転写による情報布帛の製造方法。
【図面の簡単な説明】
【００２７】
【図１】実施形態の竹刀袋を示す斜視図。
【図２】実施形態の熱転写シートを示す断面図。
【図３】（ａ）はカッティング工程後の熱転写シートを示す平面図、（ｂ）は図３（ａ）の３ｂ−３ｂ線断面図。
【図４】（ａ）は熱転写シートを袋体に熱融着した状態を示す平面図、（ｂ）は図４（ａ）の４ｂ−４ｂ線断面図。
【符号の説明】
【００２８】
１１…情報布帛としての竹刀袋、１２…布帛としての袋体、１３…視覚情報としての文字、１３ａ…視覚情報形成部、１４…熱転写シート、１４ａ…剥離シート、１４ｂ…インク層、１４ｃ…ホットメルト接着剤層、１５…シート本体。
【図１】
2005048317.tif 000003
【図２】
2005048317.tif 000004
【図３】
2005048317.tif 000005
【図４】
2005048317.tif 000006